(57)【要約】【課題】複数のアンテナの中から受信感度の最も高いものを選択して複数台のテレビ受信機にアンテナ信号を出力することのできる車両用テレビの受信制御装置を提供する。【解決手段】本発明の車両用テレビの受信制御装置１は、アンテナ２の中から所望のアンテナを選択して切り替えるアンテナ切替部３と、選択されたアンテナのアンテナ信号を受信状態にあるテレビ受信機の台数に応じて増幅する利得可変アンプ４と、増幅されたアンテナ信号を、受信状態にあるテレビ受信機に分配する分配部５と、受信状態にあるテレビ受信機のうちの一台を受信感度検出用のテレビ受信機として設定し、この受信感度検出用のテレビ受信機からのビデオ信号に基づいたアンテナ切替信号をアンテナ切替部３に送信するように制御するダイバーシティ制御部７とを備えたことを特徴とする。【選択図】      図１
2006101353.tif 000002
【特許請求の範囲】
【請求項１】
複数のアンテナで受信したアンテナ信号の中から受信感度の高いものを選択して複数台のテレビ受信機に出力する車両用テレビの受信制御装置において、
前記複数のアンテナの中から、所望するアンテナを受信用のアンテナとして選択するアンテナ切替手段と、
前記アンテナ切替手段で選択されたアンテナのアンテナ信号を増幅する増幅手段と、
前記増幅手段で増幅されたアンテナ信号を、受信状態にあるテレビ受信機に分配する分配手段と、
前記受信状態にあるテレビ受信機のうちの一台を受信感度検出用のテレビ受信機として設定し、この受信感度検出用のテレビ受信機より出力されるビデオ信号から受信感度を検出し、前記アンテナ切替手段にアンテナ切替信号を出力することにより、前記複数のアンテナ中で受信用のアンテナを変更し、最も受信感度が高いアンテナを選択するためのアンテナ切替信号を出力するダイバーシティ制御手段と、
を備えたことを特徴とする車両用テレビの受信制御装置。
【請求項２】
前記ダイバーシティ制御手段は、前記受信状態にあるテレビ受信機の台数に基づいて前記増幅手段の増幅率を制御することを特徴とする請求項１に記載の車両用テレビの受信制御装置。
【請求項３】
前記ダイバーシティ制御手段は、前記受信感度検出用のテレビ受信機がオフされたときには、別の受信状態にあるテレビ受信機を受信感度検出用のテレビ受信機として設定することを特徴とする請求項１または請求項２のいずれかに記載の車両用テレビの受信制御装置。
【発明の詳細な説明】
【技術分野】
【０００１】
本発明は、複数のアンテナで受信したアンテナ信号の中から受信感度の高いものを選択して複数台のテレビ受信機に出力する車両用テレビの受信制御装置に関する。
【背景技術】
【０００２】
従来、車両用のテレビ受信機では、受信状況を向上させるために車両の周辺に指向性の異なる複数のアンテナを設置し、これらのアンテナの中から受信感度の最も高いアンテナを選択してアンテナ信号を受信するダイバーシティ受信方式が用いられていた。
【０００３】
ここで、このような従来のダイバーシティ受信方式を利用した車両用のテレビ受信システムを図３に基づいて説明する。図３に示すように、従来のテレビ受信システム１００は、４本のアンテナ１０１ａ〜１０１ｄと、高周波増幅（以下、ＲＦ増幅という）を行うＲＦ増幅器１０２と、ＲＦ増幅器１０２からのアンテナ出力により画像を表示するテレビ受信機１０３とから構成され、ＲＦ増幅器１０２はアンテナ切替部１０４と、アンプ１０５とを備えている。
【０００４】
また、テレビ受信機１０３は、テレビチューナ１０６とディスプレイ１０７とアンテナの切り替えを制御するダイバーシティ制御部１０８とを備えている。
【０００５】
ここで、ダイバーシティ制御部１０８は、テレビチューナ１０６から受信状態を示すビデオ信号、例えば中間周波増幅信号やノイズレベル信号などを受信し、このビデオ信号に基づいて、アンテナ切替用の信号をアンテナ切替部１０４へ送信する。
【０００６】
そして、このようなテレビ受信システム１００において、アンテナ１０１ａ〜１０１ｄで受信したアンテナ信号はアンテナ切替部１０４に入力され、ダイバーシティ制御部１０８にて選択される、最も受信感度の高いアンテナを用いてアンテナ信号が取得される。そして、取得されたアンテナ信号は、アンプ１０５でＲＦ増幅されてアンテナ出力としてテレビ受信機１０３に出力される。テレビ受信機１０３ではテレビチューナ１０６がアンテナ出力を復調してディスプレイ１０７に画像が表示される。
【０００７】
次に、ダイバーシティ制御部１０８をダイバーシティ回路内に設けた場合のテレビ受信システムの従来例を図４に示す。図４に示すように、従来のテレビ受信システム１１０では、ダイバーシティ制御部１０８がダイバーシティ回路１１１に設置されており、テレビチューナ１０６からのビデオ信号を受けて、アンテナ切替用の信号をアンテナ切替部１０４に出力している。
【０００８】
このように従来のテレビ受信システムでは、最も受信感度の高いアンテナに順次切り替えるようにして受信状況を向上させるようにしている。
【０００９】
ところが、将来的には車両の各座席にテレビ受信機を設置することが想定されており、このような場合にはアンテナ出力を分配する必要がある。
【００１０】
そこで、車両に複数のテレビ受信機を設置する場合のテレビ受信システムの従来例として、例えば特開平１１−８８２４５号公報（特許文献１）が開示されている。
【００１１】
ここで、特許文献１に開示された従来のテレビ受信システムでは、複数のテレビ受信機に対してそれぞれ別のアンテナを割り当ててダイバーシティ受信を行うようにしている。例えば、アンテナが４本、テレビ受信機が２台の場合には、最も受信感度の高いアンテナによるアンテナ信号が一方のテレビ受信機に割り当てられ、２番目に受信感度の高いアンテナによるアンテナ信号が他方のテレビ受信機に割り当てられるようにされていた。
【特許文献１】特開平１１−８８２４５号公報
【発明の開示】
【発明が解決しようとする課題】
【００１２】
しかしながら、上述した特許文献１に開示された従来例では、別のアンテナをそれぞれのテレビ受信機に割り当てるようにしていたので、受信感度が最も高いアンテナからの信号を受信できるのはどちらか一方のテレビ受信機のみとなる可能性があり、他方のテレビ受信機では最良のアンテナからの信号を受信することができない場合があるという問題点があった。
【００１３】
また、一般的にダイバーシティアンテナの数が４本に限られているために、各テレビ受信機にアンテナを割り当てるようにしていると、接続できるテレビ受信機の数も４台に限られてしまうという問題点もあった。
【００１４】
更に、テレビ受信機を増設するためには分配器やアンテナの切替スイッチの増設が必要となり、システムを拡張するためにはコストが増加してしまうという問題点があった。
【００１５】
また、単純にすべてのアンテナとすべてのテレビ受信機とを接続してダイバーシティ受信を行った場合には、ＲＦケーブルの数が非常に多くなってしまうので問題であり（テレビ受信機×アンテナ本数）、また最も受信感度の高いアンテナの受信信号を増幅して各テレビ受信機に分配して供給するようにしたとしても、アンテナの受信信号のレベルが低いので（テレビ受信機１台分程度のレベルなので）、複数のテレビ受信機に分配することができないという問題点があった。
【００１６】
この発明は、このような従来の課題を解決するためになされたものであり、その目的とするところは、すべてのテレビ受信機が最も受信感度の高いアンテナからのアンテナ信号を受信することができ、テレビ受信機を増設する場合でもケーブルや切替スイッチなどを増やすことなく簡単でしかも安価にテレビ受信機を増設することのできる車両用テレビの受信制御装置を提供することにある。
【課題を解決するための手段】
【００１７】
上記目的を達成するために、請求項１に記載の発明は、複数のアンテナで受信したアンテナ信号の中から受信感度の高いものを選択して複数台のテレビ受信機に出力する車両用テレビの受信制御装置において、前記複数のアンテナの中から、所望するアンテナを受信用のアンテナとして選択するアンテナ切替手段と、前記アンテナ切替手段で選択されたアンテナのアンテナ信号を増幅する増幅手段と、前記増幅手段で増幅されたアンテナ信号を、受信状態にあるテレビ受信機に分配する分配手段と、前記受信状態にあるテレビ受信機のうちの一台を受信感度検出用のテレビ受信機として設定し、この受信感度検出用のテレビ受信機より出力されるビデオ信号から受信感度を検出し、前記アンテナ切替手段にアンテナ切替信号を出力することにより、前記複数のアンテナ中で受信用のアンテナを変更し、最も受信感度が高いアンテナを選択するためのアンテナ切替信号を出力するダイバーシティ制御手段とを備えたことを特徴とする。
【００１８】
請求項２に記載の発明は、請求項１に記載の車両用テレビの受信制御装置において、前記ダイバーシティ制御手段が、前記受信状態にあるテレビ受信機の台数に基づいて前記増幅手段の増幅率を制御することを特徴とする。
【００１９】
請求項３に記載の発明は、請求項１または請求項２のいずれかに記載の車両用テレビの受信制御装置において、前記ダイバーシティ制御手段は、前記受信感度検出用のテレビ受信機がオフされたときには、別の受信状態にあるテレビ受信機を感度検出用のテレビ受信機として設定することを特徴とする。
【発明の効果】
【００２０】
請求項１の発明によれば、受信感度検出用のテレビ受信機を設定し、この受信感度検出用のテレビ受信機からのビデオ信号をダイバーシティ制御手段に送信し、該ダイバーシティ制御手段より出力されるアンテナ切替信号により、アンテナ切替手段が、受信感度の最も高いアンテナを選択し、このアンテナのアンテナ信号を各テレビ受信機に分配するので、すべてのテレビ受信機が最も受信感度の高いアンテナからのアンテナ信号を受信することができる。更に、テレビ受信機を増設する場合でもケーブルや切替スイッチなどを増やすことなく簡単でしかも安価にテレビ受信機を増設することができる。
【００２１】
請求項２の発明によれば、受信状態にあるテレビ受信機の台数に基づいて増幅手段の増幅率を制御するので、分配するのに必要な信号レベルを効率よく得ることができる。また、すべてのテレビ受信機がオンであることを想定した増幅率に常時設定する場合と比較して消費電力を低減させることができる。
【００２２】
請求項３の発明によれば、受信感度検出用のテレビ受信機がオフされたときには、別の受信状態にあるテレビ受信機を感度検出用のテレビ受信機として設定するので、感度検出用のテレビ受信機がオフされた場合でも、継続してダイバーシティ機能を動作させることができる。
【発明を実施するための最良の形態】
【００２３】
以下、本発明の一実施形態を図面に基づいて説明する。図１は本発明に係る車両用テレビの受信制御装置の構成を示すブロック図である。
【００２４】
図１に示すように、本実施形態の車両用テレビの受信制御装置１は、ダイバーシティアンテナを構成する４本のアンテナ２と、アンテナ２の中から一つのアンテナ２を選択して切り替えるアンテナ切替部（アンテナ切替手段）３と、アンテナ切替部３で選択されたアンテナのアンテナ信号をＲＦ増幅する利得可変アンプ（増幅手段）４と、利得可変アンプ４で増幅されたアンテナ信号を受信状態にあるテレビ受信機に分配する分配部（分配手段）５とを備えている。
【００２５】
また、受信状態にあるテレビ受信機からのビデオ信号を受信することにより、どのテレビ受信機が動作中であるかを検出する信号検出部６と、この信号検出部６で検出された現在動作中であるテレビ受信機うち、受信感度検出用として設定されたテレビ受信機よりのビデオ信号に基づいて、受信感度の最も高いアンテナを選択するためのアンテナ切替信号をアンテナ切替部３に出力するダイバーシティ制御部（ダイバーシティ制御手段）７と、ダイバーシティ制御部７から与えられる選択信号に基づき、複数のテレビ受信機より与えられる各ビデオ信号のうち、１つのビデオ信号を選択し、この選択されたビデオ信号をダイバーシティ制御部７に出力するビデオ切替部８とから構成されている。
【００２６】
アンテナ切替部３は、ダイバーシティ制御部７より出力されるアンテナ切替信号に基づいて、４本のアンテナ２の中から受信感度の最も高いアンテナを選択し、このアンテナよりのアンテナ信号を利得可変アンプ４に出力する。
【００２７】
ダイバーシティ制御部７は、信号検出部６より出力される現在動作中であるテレビ受信機より出力された各ビデオ信号を入力し、ビデオ信号切替部８に、各ビデオ信号のうちの一つ（受信感度検出用として設定されているテレビ受信機より出力されるビデオ信号）を選択するビデオ選択指令を出力する。
【００２８】
そして、このビデオ選択指令を受けてビデオ信号切替部８より与えられるビデオ信号の信号レベルを検出し、アンテナ切替信号をアンテナ切替部３に出力する。そして、受信するアンテナ２を順次変更することにより、ダイバーシティ制御部７では、最も受信感度の高いアンテナを検出することができるので、このアンテナを受信用のアンテナと設定するべく、アンテナ切替信号をアンテナ切替部３に出力することにより、ダイバーシティ制御を行う。なお、この方法以外で、選択中のアンテナの受信状態が悪化したときに他のアンテナに切り替える方法等の方法を用いて受信感度の高いアンテナを選択するようにしてもよい。
【００２９】
また、ダイバーシティ制御部７は、動作中のテレビ受信機の数に応じた利得制御信号を利得可変アンプ４に出力し、且つ、分配部５に分配制御信号を出力する。
【００３０】
利得可変アンプ４は、ダイバーシティ制御部７からの利得制御信号に基づいて、アンテナ信号の増幅率を変化させてアンテナ信号のＲＦ増幅を行う。ここで、利得制御信号は受信状態にあるテレビ受信機の台数に基づいて決定されているので、受信状態にあるテレビ受信機の台数が多くなれば、増幅率も大きくなる。
【００３１】
分配部５は、ダイバーシティ制御部７からの分配制御信号を受信することによって、受信状態にあるテレビ受信機を検知することができ、アンテナ信号を分配するテレビ受信機を決定してアンテナ信号を出力する。
【００３２】
信号検出部６は、受信状態にあるテレビ受信機からビデオ信号を受信して
検出信号をダイバーシティ制御部７に出力する。
【００３３】
ビデオ信号切替部８は、受信状態にあるテレビ受信機より送信されるビデオ信号を受信し、この中からダイバーシティ制御部７より与えられるビデオ信号選択指令に対応するビデオ信号をダイバーシティ制御部７に出力する。
【００３４】
次に、本実施形態に係る車両用テレビの受信制御装置の動作を図２に基づいて説明する。図２は、本実施形態の車両用テレビの受信制御装置による受信制御処理を説明するためのシーケンス図である。ただし、図２のシーケンス図では、テレビ受信機が３台の場合を例にして説明するが、それ以上であっても同様に処理することができる。
【００３５】
図２に示すように、まず、テレビ受信機Ｔ１がオフからオンにされると、ビデオ信号が受信制御装置１に送信される（Ｓ１）。このビデオ信号を受けて受信制御装置１はスリープ状態からダイバーシティ動作を開始し、ダイバーシティ制御部７は、信号検出部６からの検出信号によりテレビ受信機Ｔ１が受信状態になったことを認識して、テレビ受信機Ｔ１を受信感度検出用のテレビ受信機として設定する。そして、動作中のテレビ受信機の数に応じた利得制御信号を利得可変アンプ４に出力し、分配制御信号を分配部５に出力する。
【００３６】
また、ダイバーシティ制御部７は、このテレビ受信機Ｔ１を、受信感度検出用の受信機として設定し、このテレビ受信機Ｔ１より出力されるビデオ信号を選択するためのビデオ信号選択指令を、ビデオ信号切替部８に出力する。更に、４つのアンテナ２のうち、所望の一つを選択するためのアンテナ切替信号をアンテナ切替部３に出力する。
【００３７】
そして、選択されたアンテナで受信されたアンテナ信号は、利得可変アンプ４に出力され、該利得可変アンプ４では、利得制御信号に基づいて受信状態にあるテレビ受信機の台数に応じた増幅率でアンテナ信号が増幅される。ここではテレビ受信機１台分の増幅率で増幅されることになる。
【００３８】
次いで、増幅されたアンテナ信号は分配部５に送られ、分配部５では分配制御信号に基づいてアンテナ信号を分配し、受信状態のテレビ受信機Ｔ１に対して出力する（Ｓ２）。このアンテナ信号を受信したテレビ受信機Ｔ１では、チューナがアンテナ信号を復調してディスプレイに画像を表示する。
【００３９】
次に、テレビ受信機Ｔ１は、アンテナ切替要求を受信制御装置１に送信する（Ｓ３）。アンテナ切替要求は、信号検出部６を介して、ダイバーシティ制御部７に出力され、該ダイバーシティ制御部７では、アンテナ切替部３にアンテナ切替信号を出力する。これにより、アンテナ切替部３は、４つのアンテナ４のうち、受信アンテナを切り替える操作を行う。
【００４０】
そして、これ以後はアンテナ信号とアンテナ切替要求とが、繰り返しやり取りされてダイバーシティ受信が行われる（Ｓ４）。つまり、テレビ受信機Ｔ１の受信感度に基づいた、最も受信感度の高いアンテナの選択操作が行われるのである。
【００４１】
ここで、テレビ受信機Ｔ２がオフからオンにされると、ビデオ信号が受信制御装置１に送信され（Ｓ５）、これを受けてダイバーシティ制御部７は利得制御信号と分配制御信号とを生成して出力し、利得可変アンプ４ではダイバーシティ制御部７からの利得制御信号に基づいてテレビ受信機２台分の増幅率で増幅する。
【００４２】
そして、増幅されたアンテナ信号は分配部５に送られ、分配部５では分配制御信号に基づいてテレビ受信機Ｔ１、Ｔ２にアンテナ信号を分配して出力する（Ｓ６）。このアンテナ信号を受信したテレビ受信機Ｔ２では、チューナがアンテナ信号を復調してディスプレイに画像を表示する。
【００４３】
これ以後、テレビ受信機Ｔ２はアンテナ信号を受信し続けるようになる（Ｓ７）。
【００４４】
更に、テレビ受信機Ｔ３がオフからオンにされると、テレビ受信機Ｔ３からビデオ信号が受信制御装置１に送信され（Ｓ８）、これを受けて受信制御装置１からアンテナ信号がテレビ受信機Ｔ３にも分配して出力されるようになり（Ｓ９）、テレビ受信機Ｔ３ではチューナがアンテナ信号を復調してディスプレイに画像を表示する。
【００４５】
これ以後、テレビ受信機Ｔ３はアンテナ信号を受信し続けるようになる（Ｓ１０）。
【００４６】
こうしてテレビ受信機Ｔ１、Ｔ２、Ｔ３へのアンテナ信号の分配が行われているときに、テレビ受信機Ｔ１がオフされると、ダイバーシティ制御部７ではテレビ受信機Ｔ１からのビデオ信号がオフになったことを検知し（Ｓ１１）、テレビ受信機Ｔ２から、ビデオ信号が入力される（Ｓ１２）。
【００４７】
このとき、ダイバーシティ制御部７はアンテナ信号を供給するテレビ受信機の台数が減ったので、利得制御信号と分配制御信号とを生成して出力し、利得可変アンプ４ではこの利得制御信号に基づいてアンテナ信号の増幅率を減少させ、分配部５では分配制御信号に基づいてテレビ受信機Ｔ１へのアンテナ信号の分配を停止する。
【００４８】
更に、ダイバーシティ制御部７は、テレビ受信機Ｔ１がオフされたので、受信感度検出用のテレビ受信機としてテレビ受信機Ｔ２を設定し、該テレビ受信機Ｔ２よりのビデオ信号を選択するべく、ビデオ信号選択指令をビデオ信号切替部８に出力する。
【００４９】
この選択切替信号を受けて、ビデオ信号切替部８では、テレビ受信機Ｔ２からのビデオ信号をダイバーシティ制御部７に出力し、上述と同様の操作で、アンテナ切替信号を出力することにより、アンテナ切替部３によるアンテナの切替操作を行う。
【００５０】
そして、受信制御装置１がアンテナ信号をテレビ受信機Ｔ２、Ｔ３に送信し、アンテナ信号を受信したテレビ受信機Ｔ２はアンテナ切替要求を受信制御装置１に送信する（Ｓ１３）。
【００５１】
これ以後、受信制御装置１とテレビ受信機Ｔ２との間でアンテナ信号とアンテナ切替要求とをやり取りすることによって、ダイバーシティ制御が継続して行われていくことになる。つまり、テレビ受信機Ｔ２の受信感度に基づいた、最も受信感度の高いアンテナの選択操作が行われるのである。
【００５２】
上述したように、本実施形態に係る車両用テレビの受信制御装置１では、受信感度検出用のテレビ受信機を設定し、この受信感度検出用のテレビ受信機からのビデオ信号に基づいて受信感度の最も高いアンテナを選択し、このアンテナのアンテナ信号を各テレビ受信機に分配するので、すべてのテレビ受信機が最も受信感度の高いアンテナからのアンテナ信号を受信することができる。
【００５３】
更に、テレビ受信機を増設する場合でも、テレビ受信機を接続するだけでケーブルや切替スイッチなどを増やすことなく簡単で、しかも安価にテレビ受信機を増設することができる。とくに、テレビ受信機を何台でも接続することが可能である。
【００５４】
また、単純にすべてのアンテナとすべてのテレビ受信機とを接続してダイバーシティ受信を行った場合と比較すると、ケーブル数を大幅に減らすことができる。
【００５５】
更に、受信状態にあるテレビ受信機の台数に基づいて利得可変アンプ４の増幅率を変化させるので、アンテナ信号を分配するのに必要となる信号レベルを効率的に得ることができる。更に、すべてのテレビ受信機がオンであることを想定した増幅率に常時設定する場合と比較して消費電力を低減させることもできる。
【００５６】
また、受信感度検出用のテレビ受信機がオフされたときには、別の受信状態にあるテレビ受信機を感度検出用のテレビ受信機として設定するので、感度検出用のテレビ受信機がオフされた場合でも、継続してダイバーシティ機能を動作させることができる。
【００５７】
以上、本発明の車両用テレビの受信制御装置について、図示した実施形態に基づいて説明したが、本発明はこれに限定されるものではなく、各部の構成は同様の機能を有する任意の構成のものに置き換えることができる。
【００５８】
例えば、上述した実施形態では、４本のアンテナによるダイバーシティ受信の場合を例にして説明したが、その他のアンテナ本数によるダイバーシティ受信を行うようにしてもよい。
【産業上の利用可能性】
【００５９】
複数のアンテナで受信したアンテナ信号の中から受信感度の最も高いものを選択して複数台のテレビ受信機に出力するための技術として極めて有用である。
【図面の簡単な説明】
【００６０】
【図１】本発明の一実施形態に係る車両用テレビの受信制御装置の構成を示すブロック図である。
【図２】本発明の一実施形態に係る車両用テレビの受信制御装置による受信制御処理を説明するためのシーケンス図である。
【図３】従来のダイバーシティ受信方式を利用した車両用のテレビ受信システムの構成を示すブロック図である。
【図４】従来のダイバーシティ受信方式を利用した車両用のテレビ受信システムの構成を示すブロック図である。
【符号の説明】
【００６１】
１  受信制御装置
２  アンテナ
３  アンテナ切替部（アンテナ切替手段）
４  利得可変アンプ（増幅手段）
５  分配部（分配手段）
６  信号検出部
７  ダイバーシティ制御部（ダイバーシティ制御手段）
８  ビデオ信号切替部
Ｔ１、Ｔ２、Ｔ３  テレビ受信機
１００、１１０  テレビ受信システム
１０１ａ〜１０１ｄ  アンテナ
１０２  ＲＦ増幅器
１０３  テレビ受信機
１０４  アンテナ切替部
１０５  アンプ
１０６  テレビチューナ
１０７  ディスプレイ
１０８  ダイバーシティ制御部
１１１  ダイバーシティ回路
【図１】
2006101353.tif 000003
【図２】
2006101353.tif 000004
【図３】
2006101353.tif 000005
【図４】
2006101353.tif 000006